(57)【要約】【課題】園芸植物に関する情報を表示し、園芸用ポットの搬送用トレイに取り付け可能な園芸用表示パネルを提供する。【解決手段】園芸植物に関する情報の表示領域を備えたパネル本体の下端部に、搬送用トレイの収納部間の仕切りと係合可能なスリットが形成される。搬送用トレイの上方からパネル本体の下端部が差し込まれ、スリットと仕切りとが係合することにより、園芸植物の情報表示領域が搬送用トレイの上方に突出するように、パネル本体が取り付けられる。【選択図】図１
2006167462.tif 000002
【特許請求の範囲】
【請求項１】
園芸用表示パネルであって、
パネル本体に園芸植物に関する情報の表示領域が形成され、
園芸用ポットを収納する収納部を縦横に設けた搬送用トレイに、前記パネル本体を取り付けて前記園芸植物の情報を表示するために、
前記パネル本体の下端部に、前記搬送用トレイの収納部間の仕切りと係合可能なスリットが形成され、
前記搬送用トレイの上方から前記パネル本体の下端部が差し込まれ、前記スリットと前記仕切りとが係合することにより、前記園芸植物の情報表示領域が前記搬送用トレイの上方に突出するように、前記パネル本体が取り付けられることを特徴とする園芸用表示パネル。
【請求項２】
園芸用表示パネルであって、
パネル本体に園芸植物に関する情報の表示領域が形成され、
園芸用ポットを収納する収納部を縦横に設けた搬送用トレイに、前記パネル本体を取り付けて前記園芸植物の情報を表示するために、
前記パネル本体の下端部に、前記搬送用トレイの収納部間の仕切りと係合可能なスリットが形成され、
前記搬送用トレイの上方から前記パネル本体の下端部が差し込まれ、前記スリットと前記仕切りとが係合することにより、前記園芸植物の情報表示領域が前記搬送用トレイの上方に突出するように、前記パネル本体が取り付けられ、
前記スリットにはストッパーが形成され、前記パネル本体が上方に引かれた際に、そのストッパーの上端に前記仕切りが当接して、前記パネル本体と前記搬送用トレイとの分離が防止されることを特徴とする園芸用表示パネル。
【請求項３】
園芸用表示パネルであって、
パネル本体に園芸植物に関する情報の表示領域が形成され、
園芸用ポットを収納する収納部を縦横に設けた搬送用トレイに、前記パネル本体を取り付けて前記園芸植物の情報を表示するために、
前記パネル本体の下端部に、前記搬送用トレイの収納部間の仕切りと係合可能なスリットが形成され、
前記搬送用トレイの上方から前記パネル本体の下端部が差し込まれ、前記スリットと前記仕切りとが係合することにより、前記園芸植物の情報表示領域が前記搬送用トレイの上方に突出するように、前記パネル本体が取り付けられ、
前記スリットにはストッパーが形成され、前記パネル本体が上方に引かれた際に、そのストッパーの上端に前記仕切りが当接して、前記パネル本体と前記搬送用トレイとの分離が防止され、
前記ストッパーの上端から前記スリットの上端までの長さは、前記仕切りの上下方向の長さよりも長くされることにより、そのスリット内において前記仕切りが上下方向に移動可能であることを特徴とする園芸用表示パネル。
【請求項４】
前記ストッパーは、前記スリットの左右両側部のうち少なくとも一方の側部から反対側の側部へ突出し且つ前記パネル本体と一体化している請求項２または３に記載の園芸用表示パネル。
【請求項５】
前記パネル本体が所定以上の力で上方に引かれた場合には、前記ストッパーが弾性変形して前記仕切りが通り抜けることにより、そのパネル本体と前記搬送用トレイとが分離される請求項２または３記載の園芸用表示パネル。
【発明の詳細な説明】
【技術分野】
【０００１】
本発明は、園芸用表示パネルに関するものである。
【背景技術】
【０００２】
園芸植物のポット苗販売では、搬送用のトレイにポットが多数個入れられ、このトレイが店頭に並べられる。園芸植物の内容を購入者に対して表示するために、従来から例えば下記特許文献１のように、個々のポットの土壌に差し込んで使用する園芸用品名ラベルが知られている。
【特許文献１】特開２００３−２７１０５９号公報
【０００３】
この園芸用品名ラベルは個々のポットに使用するため、その大きさは小さく、購入者に対して目立ちにくかった。そこで、このようなラベルよりも大型で目立ちやすく、搬送用トレイに取り付け可能な表示パネルが求められてきた。また、その搬送用トレイを持ち運ぶ際に、取り付けた表示パネルが容易に抜け落ちないようにする工夫が求められてきた。
【発明の開示】
【発明が解決しようとする課題】
【０００４】
本発明は上述のような事情を背景になされたもので、園芸用ポットの搬送用トレイに取り付け可能な園芸用表示パネルを提供することを課題とする。特には、その搬送用トレイに取り付けた後に、容易に抜けない園芸用表示パネルを提供することを課題とする。
【課題を解決するための手段および発明の効果】
【０００５】
上記課題を解決するために本発明の園芸用表示パネルは、
パネル本体に園芸植物に関する情報の表示領域が形成され、
園芸用ポットを収納する収納部を縦横に設けた搬送用トレイに、前記パネル本体を取り付けて前記園芸植物の情報を表示するために、
前記パネル本体の下端部に、前記搬送用トレイの収納部間の仕切りと係合可能なスリットが形成され、
前記搬送用トレイの上方から前記パネル本体の下端部が差し込まれ、前記スリットと前記仕切りとが係合することにより、前記園芸植物の情報表示領域が前記搬送用トレイの上方に突出するように、前記パネル本体が取り付けられることを主要な特徴とする。
【０００６】
上記本発明の園芸用表示パネルによると、パネル本体に園芸植物に関する情報表示領域が形成され、パネル下端部にはスリットが形成されている。情報表示領域は、商品である園芸植物の情報を、パネル表面に例えば印刷して形成したものである。このパネル本体を搬送用トレイの上方から差し込んで、搬送用トレイの仕切りとスリットとを係合させることにより、パネル本体を固定して、園芸植物の情報を表示させることができる。個々の園芸用ポットに用いる従来の表示ラベルと比較すると、このパネル本体は大型のものを用いることができるので、宣伝効果が高い。
【０００７】
また、本発明の園芸用表示パネルは、
パネル本体に園芸植物に関する情報の表示領域が形成され、
園芸用ポットを収納する収納部を縦横に設けた搬送用トレイに、前記パネル本体を取り付けて前記園芸植物の情報を表示するために、
前記パネル本体の下端部に、前記搬送用トレイの収納部間の仕切りと係合可能なスリットが形成され、
前記搬送用トレイの上方から前記パネル本体の下端部が差し込まれ、前記スリットと前記仕切りとが係合することにより、前記園芸植物の情報表示領域が前記搬送用トレイの上方に突出するように、前記パネル本体が取り付けられ、
前記スリットにはストッパーが形成され、前記パネル本体が上方に引かれた際に、そのストッパーの上端に前記仕切りが当接して、前記パネル本体と前記搬送用トレイとの分離が防止されることを特徴とする。
【０００８】
上記ストッパーは、スリットの左右両側部のうち少なくとも一方の側部から反対側の側部へ突出し且つパネル本体と一体化したものとして形成することができる。搬送用トレイにパネル本体を取り付けた際には、ストッパーの上位に搬送用トレイの仕切りが位置する。この状態で、何らかの力が働いてパネル本体が上方へ引かれたとしても、ストッパーに仕切りが当接するため、パネル本体と搬送用トレイとの分離が防止される。
【０００９】
さらに本発明の園芸用表示パネルは、
パネル本体に園芸植物に関する情報の表示領域が形成され、
園芸用ポットを収納する収納部を縦横に設けた搬送用トレイに、前記パネル本体を取り付けて前記園芸植物の情報を表示するために、
前記パネル本体の下端部に、前記搬送用トレイの収納部間の仕切りと係合可能なスリットが形成され、
前記搬送用トレイの上方から前記パネル本体の下端部が差し込まれ、前記スリットと前記仕切りとが係合することにより、前記園芸植物の情報表示領域が前記搬送用トレイの上方に突出するように、前記パネル本体が取り付けられ、
前記スリットにはストッパーが形成され、前記パネル本体が上方に引かれた際に、そのストッパーの上端に前記仕切りが当接して、前記パネル本体と前記搬送用トレイとの分離が防止され、
前記ストッパーの上端から前記スリットの上端までの長さは、前記仕切りの上下方向の長さよりも長くされることにより、そのスリット内において前記仕切りが上下方向に移動可能であることを特徴とする。
【００１０】
上記のように、ストッパーの上端からスリットの上端までの長さを仕切りの上下方向の長さよりも長くすると、スリット内において仕切りが上下方向に移動可能となる。すなわち、スリットと仕切りが係合した状態でパネル本体を搬送用トレイに対して相対的に上下動できる。これにより、例えば商品展示時にはパネル本体を上方へ引き上げて商品情報を目立たせることができ、商品搬送時などにはパネル本体を押下げてコンパクトに収納できる。
【発明を実施するための最良の形態】
【００１１】
以下、本発明を実施するための最良の形態を図面を用いて説明する。
まず、本発明に係る園芸用表示パネル１の使用状態を図１に示し、その園芸用表示パネル１の一実施形態を図２に示す。園芸用表示パネル１のパネル本体２には園芸植物に関する情報の表示領域Ｄが形成され、パネル下端部に複数のスリット３が形成されている。表示領域Ｄは例えばパネル表面に印刷したり、またはシールを貼付して形成できる。この園芸用表示パネル１は図１に示すように搬送用トレイ４に取り付けて、園芸植物の情報を表示するために用いられる。搬送用トレイ４は園芸用ポット５の収納部Ｓを縦横に設けたもので、それぞれの収納部Ｓ間には仕切り６が形成されている。また、搬送用トレイ４は底部７と、脚部８を備えている。
【００１２】
スリット３の長さは底部７から仕切り６の上端までの長さとほぼ同じであり、スリット３の間隔と仕切り６の間隔とは等しい。これにより図１に示すように、パネル本体２を搬送用トレイ４の上方から差し込んで、スリット３と仕切り６とを係合させ、情報表示領域Ｄが搬送用トレイ４の上方に突出するようにパネル本体２を取り付けることができる。
【００１３】
個々の園芸用ポットには品名表示ラベル９が土壌に差し込まれているが、ラベル自体のサイズが小さいため目立ちにくい。それに対して本発明の園芸用表示パネル１は大型にできるので目立ちやすく、高い宣伝効果を奏することができる。
【００１４】
図２Ｂは使用状態におけるスリット３の拡大図である。本発明では図２Ｂのように単純なスリットを用いることも可能であるが、パネル本体２を上方へ引くと抜けてしまうのでストッパーを設けるとよい。具体的にはスリットの下部に、そのスリットの左右両側部ＬＳ，ＲＳのうち一方の側部から他方の側部へ突出し且つパネル本体２と一体化したストッパーを形成するとよい。例えば図３Ａに示すように、所定のスリット３の下部に、右側部ＲＳから左側部ＬＳへ突出し且つパネル２と一体化したストッパー１０を形成することができる。使用状態においては図３Ｂに示すように、搬送用トレイ４の仕切り６がストッパー１０の真上に位置している。この状態でパネル２を上側へ引くと仕切り６の下端部がストッパー１０の上端部に当接するので、パネル２と搬送用トレイ４の分離が防止される。
【００１５】
なお、図示しないが、スリット３の左側部ＬＳから右側部ＲＳへ突出するようにストッパーを設けても同様の効果を奏することができる。また、図６Ａに示すように左側部ＬＳおよび右側部ＲＳからそれぞれ反対側の側部へ突出するストッパー１０Ｌ，１０Ｒを設けてもよい。
【００１６】
次に、図４に別の実施形態を示す。図４ではストッパー１０の上端からスリット３の上端までの長さが、仕切り６の上端から下端までの長さよりも長くされている。これにより仕切り６は、スリット３の上部に位置する状態（図４Ｂ）からストッパー１０に当接する状態（図４Ｃ）までの間で、スリット３内を上下方向に移動できるようになる。すなわち、パネル本体２が搬送用トレイ４に対して相対的に上下動できる。例えば商品展示時などには図４Ｃのようにパネル本体２を引き上げて、パネル本体２に形成された情報表示領域Ｄを目立たせることができる。また、商品搬送時には図４Ｂのようにパネル本体２を押し込んで収納することができる。
【００１７】
なお、図４Ｃの状態でパネル本体２を固定するためには、例えばスリット３の幅を狭く形成しておき、左右両側部ＬＳ，ＲＳが仕切り部６を挟み込むようにすればよい。また、図４のストッパー１０は右側部ＲＳから左側部ＬＳへ突出するように形成したものであるが、このような形状以外にも、例えば図６Ｂの１０Ｌ，１０Ｒのように左側部ＬＳおよび右側部ＲＳからそれぞれ反対側の側部へ突出するように設けることもできる。
【００１８】
この他にも図７Ａに示すように、ストッパー１０Ｌ，１０Ｒを、スリット３の中間に位置するように設けてもよい。このようにするとスリット３の下端に差込口３’ができるので、搬送用トレイ４に差し込みやすくなる。この形態は、言い換えると、スリット３の左右両側部ＲＳ，ＬＳから高さの等しいストッパー１０Ｌ，１０Ｒが、それぞれ対向する側部に向かって突出するように形成され、ストッパー１０Ｌ，１０Ｒの底辺がパネル２の底辺よりも上位に位置したものである。
【００１９】
さらには、図７Ｂ及び７Ｃに示すように、スリット３の中間に、それぞれ互い違いになるようにストッパー１０Ｌ，１０Ｒを設けてもよい。この形態は言い換えると、スリット３の左右両側部ＲＳ，ＬＳから複数の高さの異なるストッパーが、対向する側部に向かって突出するように形成され、最下位のストッパーの底辺がパネル２の底辺よりも上位に位置したものである。この形態では差し込み口３’が形成されるので、パネル本体２を搬送用トレイ４に差し込みやすい。また、パネル本体２を取り付けた状態で上方へ引き上げると、上位のストッパー（図では１０Ｌ）に仕切り６が当接して、分離防止できる。上位のストッパーが曲がったりして分離を防止できない場合には、下位のストッパー（図では１０Ｒ）によって分離を防止できる。なお、図示しないが、上位のストッパーが右側部ＲＳより突出し、下位のストッパーが左側部ＬＳより突出するようにしてもよい。さらには、３つ以上のストッパーを設けてもよい。
【００２０】
また、図７Ｄに示すように、スリット３の右側部ＲＳから左側部ＬＳへ向かって突出したストッパー１０Ｒを、スリットの中間に設けることもできる。同様にして、図示しないが、スリット３の左側部ＬＳから右側部ＲＳへ向かって突出したストッパーを、スリットの中間に設けることもできる。
【００２１】
上記パネル本体２の材料には例えば紙や高分子材料を用いることができる。紙や高分子材料は安価である。また、柔軟な材料であれば、必要な時には容易にパネル本体２を搬送用トレイ４から分離することができる。すなわち、所定以上の力でパネル本体２を上方に引き上げると、仕切り６がストッパー１０を弾性変形させながら通過するので、分離できるのである。
【００２２】
なお、スリット３の左右両側部ＬＳ，ＲＳは、図８Ａのように波型にしたり、図８Ｂのように三角波型にしたりできる。これにより、図８Ｃ，Ｄに示すように任意の高さでパネル本体２を固定できるようになり、しかも、パネル本体２がずれにくくなる。つまり、パネル本体２が柔軟性のある材料（例えば塩化ビニル）を用いて作られていれば、凹凸になっている部分が弾性変形して仕切り部６を挟み込むので、使用者の好みの高さでパネル本体２を固定できる。しかも仕切り６の上下に凹凸部があるので、上下方向へずれるのが防止される。この形態は言い換えると、スリット３の上部から下部まで、左右両側部ＬＳ，ＲＳに、左右が噛み合うように凹凸部が形成され、その凹凸部が仕切り６を挟み込むことでパネル本体２を固定するものである。
【００２３】
搬送用トレイ４は図１に示すもの以外にも、例えば図５に示すタイプの搬送用トレイ４’を使用することができる。図５の搬送用トレイ４’では底部７’から板状の仕切り６’が突設しており、この仕切り６’に囲まれた空間が収納部Ｓ’とされている。仕切り６’には所定の位置に貫通孔Ｈが形成され、パネル本体２が搬送用トレイ４’の上部から差し込まれて、各スリット３と仕切り６’とが係合するとともに、ストッパー１０が貫通孔Ｈに嵌合して上側方向への抜け止めがされている。
【００２４】
以上説明したように本発明の園芸用表示パネルは、園芸植物に関する情報表示領域Ｄがパネル本体２に形成され、パネル下端部にスリット３が形成されており、搬送用トレイ４の仕切り６とスリット３とが係合するようにパネル本体２を差し込んで、情報表示領域Ｄが搬送用トレイ４の上方に突出するようにパネル本体２を取り付けることができる。パネルは大型なので目立ちやすく、宣伝効果が高い。また、スリット３にストッパー１０を設けることにより、パネル本体２と搬送用トレイ４との分離を防止できる。さらには、ストッパー１０の上端からスリット３の上端までの長さを仕切り６の上下方向の長さよりも長くすることで、パネル本体２を搬送用トレイ４に対して相対的に上下動させることができる。これにより、例えば商品展示時にはパネル本体２を上側に引き上げて、情報表示領域Ｄを目立たせることができ、また、例えば商品搬送時にはパネル本体２を下側に押し込んで、コンパクトに収納することができる。
【図面の簡単な説明】
【００２５】
【図１】本発明に係る園芸用表示パネルの使用状態説明図
【図２】（Ａ）は園芸用表示パネルの一実施形態であり、（Ｂ）は使用状態における要部拡大図である。
【図３】（Ａ）は図２と異なる実施形態であり、（Ｂ）は使用状態における要部拡大図である。
【図４】（Ａ）は図２および図３と異なる実施形態であり、（Ｂ）は使用状態における要部拡大図である。
【図５】（Ａ）は、園芸用表示パネルを図１とは異なる搬送用トレイに用いた使用状態説明図であり、（Ｂ）はその要部拡大図である。
【図６】図２〜５とは異なる実施形態である。
【図７】図２〜６とは異なる実施形態である。
【図８】図２〜７とは異なる実施形態である。
【符号の説明】
【００２６】
１  園芸用表示パネル
２  パネル本体
３  スリット
４  搬送用トレイ
５  園芸用ポット
６  仕切り
１０  ストッパー
Ｄ  園芸植物の情報表示領域
ＬＳ  ストッパーの左側部
ＲＳ  ストッパーの右側部
Ｓ  園芸用ポットの収納部
【図１】
2006167462.tif 000003
【図２】
2006167462.tif 000004
【図３】
2006167462.tif 000005
【図４】
2006167462.tif 000006
【図５】
2006167462.tif 000007
【図６】
2006167462.tif 000008
【図７】
2006167462.tif 000009
【図８】
2006167462.tif 000010